(57)【特許請求の範囲】
【請求項１】
インクジェットヘッドの液滴吐出面から液状体を液滴として吐出させる液滴吐出方法であって、
前記インクジェットヘッドの内部に保持された液状体を加圧して前記液滴吐出面から吐出させた後、前記液滴吐出面に付着した液状体を拭き取り部材により拭き取る工程を含み、
前記拭き取り部材は、前記液状体に水を用いた場合における前記拭き取り部材の拭き取り後の重さから拭き取り前の重さを差し引いた値を拭き取り前の重さで除した値が、０．９３以上、１２．４０以下であり、
前記液滴吐出面は、前記液滴を吐出するノズルの吐出口を有し、
前記拭き取る工程において、
前記拭き取り部材を、その拭き取り面が前記液滴吐出面に対向するように用意し、
前記拭き取り部材を前記液滴吐出面に近づく方向に移動させて、前記拭き取り面を前記液滴吐出面および前記ノズルの吐出口に接触させ、
前記拭き取り面と前記液滴吐出面および前記ノズルの吐出口とが接触した状態で静止し、静止状態を所定時間保持した後、前記拭き取り部材を前記液滴吐出面から遠ざかる方向へと移動させて前記吐出面および前記ノズルの吐出口から離間させる
ことを特徴とする液滴吐出方法。
【請求項２】
前記拭き取り部材の前記ノズルの吐出口に近づく方向の移動は、前記ノズルの吐出口に対して垂直な方向であり、かつ、前記拭き取り部材の前記ノズルの吐出口から遠ざかる方向の移動は、前記ノズルの吐出口に対して垂直な方向である
ことを特徴とする請求項１に記載の液滴吐出方法。
【請求項３】
請求項１または２記載の液滴吐出方法を含むことを特徴とする有機ＥＬ素子の製造方法。
【発明の詳細な説明】
【技術分野】
【０００１】
本発明は、有機ＥＬ表示パネルの製造に用いられるインクジェット装置における液滴吐出方法、有機ＥＬ素子の製造方法、有機ＥＬ表示パネル、および有機ＥＬ表示装置に関する。
【背景技術】
【０００２】
近年、表示装置として基板上に有機ＥＬ素子を配設した有機ＥＬ表示パネルが普及しつつある。有機ＥＬ表示パネルは、自己発光を行う有機ＥＬ素子を利用するため視認性が高く、さらに完全固体素子であるため耐衝撃性に優れるなどの特徴を有する。
有機ＥＬ素子は電流駆動型の発光素子であり、陽極及び陰極の電極対の間に、キャリアの再結合による電界発光現象を行う有機発光層等を積層して構成される。また、有機ＥＬ表示パネルでは、赤色（Ｒ），緑色（Ｇ），青色（Ｂ）の各色に対応する有機ＥＬ素子をそれぞれサブピクセルとし、Ｒ，Ｇ，Ｂの３つのサブピクセルの組み合わせが１ピクセル（１画素）に相当する。
【０００３】
このような有機ＥＬ表示パネルとして、有機ＥＬ素子の有機発光層をインクジェット方式等のウエットプロセス（塗布工程）で形成したものが知られている（例えば、特許文献１）。インクジェット方式では、基板上の隔壁層に行列状に設けられた開口部（有機発光層形成領域に対応する。）に対してインクジェットヘッドを走査させる。そして、インクジェットヘッドが備える複数のノズルの吐出口から、各開口部に対し有機発光層を構成する有機材料および溶媒を含有したインクの液滴を吐出させる。
【０００４】
このとき、インクジェットヘッドのインク吐出面において吐出口の周囲に不要なインクが付着することがある。このような不要なインクが吐出口の周囲に付着すると、インクの出射方向が曲げられインクの着弾位置が狙った位置からずれたり、所望の量とは異なる量のインクが吐出されたりといったインクの不正吐出が発生する原因となる。また、インクが付着したまま放置されると、やがて付着したインクが乾燥して吐出口を詰まらせ、インクが全く吐出されないインクの不吐出が発生する原因となる。このような不正吐出や不吐出が発生したノズル（以下、「不吐出ノズル」という。）がインクジェットヘッドに存在すると、インクが全く塗布されない開口部や、インク塗布量が他の開口部とは著しく異なる開口部が生じることとなる。その結果、表示画像に抜けや色の濃さが著しく異なる部分が発生して画質不良が生じることとなる。
【０００５】
そのため、不吐出ノズルが生じると、インクの吐出を中断して、インクジェットヘッド内部のインクを加圧（パージ）してインクを吐出口から押し出し、詰まりを除去する必要がある。
しかし、パージしてインクを吐出させると、インクが吐出口から勢いよく吐出されるためインクが吐出口の周囲に濡れ広がり、加圧後のインクジェットヘッドの吐出面は、吐出口の周辺に広くインクが付着し濡れ広がった状態となる。このままインクの吐出を再開すると、吐出口の周囲に付着したインクによりインクの不正吐出や不吐出が誘発されることとなる。そこで、供給インクを加圧してインクジェットヘッドの吐出口からインクを排出した後、インクジェットヘッドの吐出口面にインク吸収体を当接させてインクを拭き取り、吐出面をインクが吐出するのに良い状態を作る。
【先行技術文献】
【特許文献】
【０００６】
【特許文献１】特開２００６−２２３９５４号公報
【特許文献２】特開２００６−２６３９７２号公報
【発明の概要】
【発明が解決しようとする課題】
【０００７】
インクを拭き取る拭き取り部材であるインク吸収体の性質により拭き取り不足、拭き取り過ぎが生じ、吐出面をインクが吐出するのに良い状態にできない場合がある。例えば、吸水性（吸液性）が高いため、吐出口周辺の不要なインクのみならずノズル内部のインクの一部までも吸い出してしまい、吐出口からノズル内部に空気が入り込んで内圧に圧力損失が生じインクの吐出が不能になる虞がある。
【０００８】
また、吸収したインクを吸引手段により吸引排出する場合、吸収部の吸水性がさらに高まり、ノズル内部のインクの一部までも吸い出してしまう虞がさらに高くなる。
本発明は上記の問題点に鑑みてなされたもので、インクジェットヘッド内部のインクを加圧してインクを吐出口から押し出した後のインク液滴の吐出不良をより確実に低減させることができる液滴吐出方法および有機ＥＬ素子の製造方法等を提供することを目的とする。
【課題を解決するための手段】
【０００９】
本発明の一態様である液滴吐出方法は、インクジェットヘッドの液滴吐出面から液状体を液滴として吐出させる液滴吐出方法であって、前記インクジェットヘッドの内部に保持された液状体を加圧して前記液滴吐出面から吐出させた後、前記液滴吐出面に付着した液状体を拭き取り部材により拭き取る工程を含み、前記拭き取り部材は、前記液状体に水を用いた場合における前記拭き取り部材の拭き取り後の重さから拭き取り前の重さを差し引いた値を拭き取り前の重さで除した値が、０．９３以上、１２．４０以下であることを特徴とする。
【発明の効果】
【００１０】
本発明の一態様に係る液滴吐出方法においては、前記液状体に水を用いた場合における前記拭き取り部材の拭き取り後の重さから拭き取り前の重さを差し引いた値を拭き取り前の重さで除した値である吸水性の値が、０．７０よりも大きく、１２．７５よりも小さい値である拭き取り部材が用いられる。
これにより、拭き取り部材の吸水性が低すぎて、インクジェットヘッドのインク吐出面における吐出口周辺に付着した余分なインクが除去されずに残存することがないため、インクの不正吐出や不吐出の誘発を防止することができる。
【００１１】
また、拭き取り部材の吸水性が高すぎて、インク吐出口周辺の不要なインクのみならずノズル内部のインクの一部までも吸い出してしまうことがないため、吐出口からノズル内部に空気が入り込んで内圧に圧力損失が生じインクの吐出が不能になる事態の発生を防止することができる。
従って、本発明の一態様に係る液滴吐出方法によれば、インクジェットヘッド内部のインクを加圧してインクを吐出口から押し出した後のインク液滴の吐出不良をより確実に低減させることが可能である。
【図面の簡単な説明】
【００１２】
【図１】実施の形態に係るインクジェット装置の主要構成を示す図である。
【図２】実施の形態に係るインクジェット装置の機能ブロック図である。
【図３】実施の形態に係るインクジェット装置のインクジェットヘッドの概略構成を模式的に示す図であって、（ａ）はインクジェットヘッドの概略構成を示す一部切欠き斜視図であり、（ｂ）はノズルの概略構成を示す一部拡大断面図である。
【図４】実施の形態に係る液滴吐出方法におけるインクジェットヘッドの拭き取り作業の手順を示す図であって、（ａ）は拭き取り作業開始前の状態を示す模式図であり、（ｂ）は拭き取り作業実行中の状態を示す模式図であり、（ｃ）は拭き取り作業終了時の状態を示す模式図である。
【図５】実施の形態に係る液滴吐出方法における拭き取り作業を行った後の不吐出ノズル数と拭き取り部材の特性との関係を示すグラフであって、（ａ）は不吐出ノズル数と拭き取り部材の密度との関係を示すグラフであり、（ｂ）は不吐出ノズル数と拭き取り部材の単位面積当たりの吸水量との関係を示すグラフである。
【図６】（ａ）は、実施の形態に係る液滴吐出方法における拭き取り作業を行った後の不吐出ノズル数と拭き取り部材の吸水性との関係を示すグラフであり、（ｂ）は、各拭き取り部材の吸水性の値を示す表である。
【図７】拭き取り作業終了時におけるインクジェットヘッドのインク吐出面およびノズル内部の推定状態を模式的に表す一部拡大断面図であって、（ａ）は低い吸水性を有する拭き取り部材を用いた場合の図であり、（ｂ）は中程度の吸水性を有する拭き取り部材を用いた場合の図である。
【図８】高い吸水性を有する拭き取り部材を用いた場合の、拭き取り作業終了時におけるインクジェットヘッドのインク吐出面およびノズル内部の推定状態を模式的に表す一部拡大断面図である。
【図９】本発明の実施の形態に係る表示装置の構成を示す模式ブロック図である。
【図１０】表示装置における表示パネルの構成を示す模式断面図である。
【図１１】表示パネルの製造過程の一部を示す模式断面図である。
【図１２】表示パネルの製造過程の一部を示す模式断面図である。
【発明を実施するための形態】
【００１３】
≪本発明の一態様の概要≫
本発明の一態様に係る液滴吐出方法は、インクジェットヘッドの液滴吐出面から液状体を液滴として吐出させる液滴吐出方法であって、前記インクジェットヘッドの内部に保持された液状体を加圧して前記液滴吐出面から吐出させた後、前記液滴吐出面に付着した液状体を拭き取り部材により拭き取る工程を含み、前記拭き取り部材は、前記液状体に水を用いた場合における前記拭き取り部材の拭き取り後の重さから拭き取り前の重さを差し引いた値を拭き取り前の重さで除した値が、０．９３以上、１２．４０以下であることを特徴とする。
【００１４】
これにより、拭き取り部材の吸水性が低すぎて、インクジェットヘッドのインク吐出面における吐出口周辺に付着した余分なインク（液状体）が除去されずに残存することがないため、インクの不正吐出や不吐出の誘発を防止することができる。
また、拭き取り部材の吸水性が高すぎるため、インク吐出口周辺の不要なインクのみならずノズル内部のインクの一部までも吸い出してしまい、インクがない部分が生じた結果インクの吐出が不能になるという事態の発生を防止することができる。
【００１５】
従って、本発明の一態様に係る液滴吐出方法によれば、インクジェットヘッド内部のインクを加圧してインクを吐出口から押し出した後のインク液滴の吐出不良をより確実に低減させることが可能である。
また、本発明の一態様に係る液滴吐出方法の特定の局面では、前記拭き取る工程において、前記拭き取り部材を、その拭き取り面が前記液滴吐出面に対向するように用意し、前記拭き取り部材を前記液滴吐出面に近づく方向に移動させて、前記拭き取り面を前記液滴吐出面に接触させ、前記拭き取り面と前記吐出面とが接触した状態で静止し、静止状態を所定時間保持した後、前記拭き取り部材を前記液滴吐出面から遠ざかる方向へと移動させて前記吐出面から離間させてもよい。
【００１６】
また、本発明の一態様に係る液滴吐出方法の特定の局面では、前記所定時間は、０．１秒以上、３０秒以下であってもよい。
また、本発明の一態様に係る液滴吐出方法の特定の局面では、前記拭き取り部材の前記液滴吐出面に近づく方向の移動は、前記液滴吐出面に対して垂直な方向であってもよい。
また、本発明の一態様に係る液滴吐出方法の特定の局面では、前記拭き取り部材の前記液滴吐出面から遠ざかる方向の移動は、前記液滴吐出面に対して垂直な方向であってもよい。
【００１７】
また、本発明の一態様に係る液滴吐出方法の特定の局面では、前記液状体は、有機材料および溶媒を含有したインクであってもよい。
また、本発明の一態様に係る液滴吐出方法の特定の局面では、前記有機材料は、有機ＥＬ表示パネルの有機機能層を形成するために用いられる材料であってもよい。
また、本発明の一態様に係る液滴吐出方法の特定の局面では、前記有機機能層は、有機発光層であってもよい。
【００１８】
また、本発明の一態様に係る液滴吐出方法の特定の局面では、前記有機機能層は、正孔輸送層であってもよい。
本発明の一態様に係る有機ＥＬ素子の製造方法は、上記各態様に係る液滴吐出方法を含むことを特徴とする。
本発明の一態様に係る有機ＥＬ表示パネルは、上記態様に係る有機ＥＬ素子の製造方法により得られた有機ＥＬ素子を有することを特徴とする。
【００１９】
本発明の一態様に係る有機ＥＬ表示装置は、上記態様に係る有機ＥＬ素子の製造方法により得られた有機ＥＬ素子を有することを特徴とする。
≪実施の形態≫
先ず、本実施の形態の液滴吐出方法が用いられるインクジェット装置について説明する。
【００２０】
なお、各図面における部材の縮尺は必ずしも実際のものと同じであるとは限らない。また、本願において、数値範囲を示す際に用いる符号「〜」は、その両端の数値を含む。また、本実施の形態で記載している、材料、数値等は好ましいものを例示しているだけであり、それに限定されることはない。また、本発明の技術的思想の範囲を逸脱しない範囲で、適宜変更は可能である。また、他の実施の形態との構成の一部同士の組み合わせは、矛盾が生じない範囲で可能である。
【００２１】
（１．インクジェット装置）
図１は、実施の形態に係るインクジェット装置１０００の主要構成を示す図である。図２は、インクジェット装置１０００の機能ブロック図である。
図１，２に示すように、インクジェット装置１０００は、インクジェットテーブル２０００、ヘッド部３０、制御装置（ＰＣ）１５で構成される。
【００２２】
図２に示すように、制御装置１５は、ＣＰＵ１５０、記憶手段１５１（ＨＤＤ等の大容量記憶手段を含む）、表示手段（ディスプレイ）１５３、入力手段１５２で構成される。当該制御装置１５は具体的にはパーソナルコンピューター（ＰＣ）を用いることができる。記憶手段１５１には、制御装置１５に接続されたインクジェットテーブル２０００、ヘッド部３０を駆動するための制御プログラム等が格納されている。インクジェット装置１０００の駆動時には、ＣＰＵ１５０が入力手段１５２を通じてオペレータにより入力された指示と、前記記憶手段１５１に格納された各制御プログラムに基づいて所定の制御を行う。
【００２３】
（２．インクジェットテーブル）
図１に示すように、インクジェットテーブル２０００はいわゆるガントリー式の作業テーブルであり、基台のテーブルの上をガントリー部（移動架台）が一対のガイドシャフトに沿って移動可能に配されている。
具体的構成として、板状の基台２０１には、その上面の四隅に柱状のスタンド２０２Ａ、２０２Ｂ、２０３Ａ、２０３Ｂが配設されている。これらのスタンド２０２Ａ、２０２Ｂ、２０３Ａ、２０３Ｂに囲まれた内側領域には、塗布対象となる基板を載置するための固定ステージＳＴと、塗布直前にインクを吐出させることにより吐出特性を安定化させるために用いるインクパン（皿状容器）ＩＰがそれぞれ配設されている。
【００２４】
また、スタンド２０２Ａ、２０２Ｂ、２０３Ａ、２０３Ｂには、基台２０１の長手（Ｙ）方向に沿って、ガイドシャフト２０４Ａ、２０４Ｂが平行軸支されている。ガイドシャフト２０４Ａ、２０４Ｂにはリニアモーター部２０５、２０６が挿通されており、リニアモーター部２０５、２０６に対してガイドシャフト２０４Ａ、２０４Ｂを架け渡すように、ガントリー部２１０が搭載されている。この構成により、インクジェット装置１０００の駆動時において、一対のリニアモーター部２０５、２０６が駆動されることで、ガントリー部２１０がガイドシャフト２０４Ａ、２０４Ｂの長手方向（Ｙ軸方向）に沿ってスライド自在に往復運動する。
【００２５】
ガントリー部２１０には、Ｌ字型の台座からなる移動体（キャリッジ）２２０が配設される。移動体２２０にはサーボモーター部（移動体モーター）２２１が配設され、各モーターの軸の先端に不図示のギヤが配されている。ギヤはガントリー部２１０の長手方向（Ｘ方向）に沿って形成されたガイド溝２１１に嵌合される。ガイド溝２１１の内部にはそれぞれ長手方向に沿って微細なラックが形成されている。ギヤはラックと噛合しているので、サーボモーター部２２１が駆動すると、移動体２２０はいわゆるピニオンラック機構によって、Ｘ軸方向に沿って往復自在に精密に移動する。
【００２６】
ここで、移動体２２０にはヘッド部３０が装備されるので、移動体２２０をガントリー部２１０に対して固定した状態でガントリー部２１０をガイドシャフト２０４Ａ、２０４Ｂの長手方向に沿って移動させることによって、また、ガントリー部２１０を停止させた状態で移動体２２０をガントリー部２１０の長手方向に沿って移動させることによって、塗布対象基板に対してヘッド部３０を走査させることができる。ヘッド部３０の主走査方向は行（Ｙ軸）方向であり、副走査方向は列（Ｘ軸）方向である。
【００２７】
なお、リニアモーター部２０５，２０６、サーボモーター部２２１はそれぞれ直接駆動を制御するための制御部２１３に接続され、当該制御部２１３は制御装置１５内のＣＰＵ１５０に接続されている。インクジェット装置１０００の駆動時には、制御プログラムを読み込んだＣＰＵ１５０により、制御部２１３を介してリニアモーター部２０５，２０６、サーボモーター部２２１の各駆動が制御される（図２参照）。
【００２８】
（３．インクジェットヘッド）
ヘッド部３０は公知のピエゾ方式を採用し、インクジェットヘッド３０１及び本体部３０２で構成されている。インクジェットヘッド３０１は本体部３０２を介して移動体２２０に固定されている。本体部３０２はサーボモーター部３０４（図２参照）を内蔵しており、サーボモーター部３０４を回転させることにより、インクジェットヘッド３０１の長手方向と固定ステージＳＴのＸ軸とのなす角度が調節される。なお、本実施の形態においては、インクジェットヘッド３０１の長手方向とＹ軸とが所定の角度で交差するように調整している。
【００２９】
図３（ａ）は、インクジェットヘッド３０１の概略構成を示す一部切欠き斜視図であり、図３（ｂ）は、インクジェットヘッド３０１のノズル３０３０の概略構成を示す断面図であって、図３（ａ）におけるＢ−Ｂ’矢視断面図である。図３（ａ），（ｂ）に示すように、インクジェットヘッド３０１は、液滴Ｄが吐出される複数の吐出口３０３１を有するノズルプレート３０１ｉと、複数の吐出口３０３１がそれぞれ連通するキャビティ３０１ｅを区画する隔壁３０１ｄを有するキャビティプレート３０１ｃと、各キャビティ３０１ｅに対応する駆動手段としてのピエゾ素子３０１０を有する振動板３０１ｈとが、順に積層され接合された構造となっている。
【００３０】
キャビティプレート３０１ｃは、吐出口３０３１に連通するキャビティ３０１ｅを区画する隔壁３０１ｄを有すると共に、このキャビティ３０１ｅにインクを充填するための流路３０１ｆ，３０１ｇを有している。流路３０１ｆ，３０１ｇは、隔壁３０１ｄを含むキャビティプレート３０１ｃがノズルプレート３０１ｉと振動板３０１ｈとによって挟まれ、これらによって囲まれてできた空間である。流路３０１ｇは、インクが貯留されるリザーバの役割を果たす。
【００３１】
インクは、インクタンク等から配管を通じて供給され、振動板３０１ｈに設けられた供給孔３０１ｈ１を通じてリザーバに貯留された後に、流路３０１ｆを通じて各キャビティ３０１ｅに充填される。
図３（ｂ）に示すように、ピエゾ素子３０１０は、一対の電極３０１１，３０１２によりピエゾ素子本体部３０１３が挟まれてなる圧電素子である。外部から一対の電極３０１１，３０１２に駆動電圧パルス（駆動信号）が印加されることにより、接合された振動板３０１ｈを変形させる。これにより隔壁３０１ｄで仕切られたキャビティ３０１ｅの体積が減少し、キャビティ３０１ｅに充填されたインクを加圧して、吐出口３０３１から液状体を液滴Ｄとして吐出できる構造となっている。そして、駆動電圧パルスの印加が終了すると、振動板３０１ｈは元に戻り、キャビティ３０１ｅの体積が復元することにより、インクがリザーバからキャビティ３０１ｅに吸引される。ピエゾ素子３０１０に印加される駆動電圧パルスを制御することにより、それぞれのノズル３０３０から吐出されるインクの量や吐出タイミング等の吐出制御を行うことができる。
【００３２】
なお、図３（ｂ）において、破線で囲んで示す部分がひとつのノズル３０３０である。すなわち、キャビティ３０１ｅおよびキャビティ３０１ｅを形成している隔壁３０１ｄ、振動板３０１ｈ、ノズルプレート３０１ｉ、並びに、ピエゾ素子３０１０、吐出口３０３１によりノズル３０３０が構成される。
なお、本実施の形態においては、インクジェットヘッド３０１は１２８個のノズル３０３０を備えている。インクジェットヘッド３０１が備えるノズル数は、１２８個に限定されるものではない。
【００３３】
インクジェットヘッド３０１は固定ステージＳＴに対向する面に複数のノズル３０３０を備えており、これらのノズル３０３０はインクジェットヘッド３０１の長手方向に沿って列状に配置されている。インクジェットヘッド３０１に供給されたインク（液状体）は、各ノズル３０３０から液滴として塗布対象基板に対して吐出される。
上述したように、各ノズル３０３０における液滴の吐出動作は、各ノズル３０３０が備えるピエゾ素子（圧電素子）３０１０に与えられる駆動電圧によって制御される。吐出制御部３００は、各ピエゾ素子３０１０に与える駆動信号を制御することにより、各ノズル３０３０からそれぞれ液滴吐出を行わせる。具体的には、図２に示すように、ＣＰＵ１５０が所定の制御プログラムを記憶手段１５１から読み出し、吐出制御部３００に対して、所定の電圧を対象のピエゾ素子３０１０に印加するように指示する。
【００３４】
以上の構成を有するインクジェット装置１０００を用い、インクジェット方式による塗布工程を行う。
次に、本実施の形態の液滴吐出方法において行われるインクの拭き取り作業について説明する。
（４．インクジェットヘッドの拭き取り作業）
図４は、本実施の形態に係る液滴吐出方法における拭き取り作業の手順を示す図である。図４（ａ）は、パージ後において、拭き取り作業開始前の状態を模式的に示す図である。図４（ｂ）は、拭き取り作業実行中の状態を模式的に示す図である。図４（ｃ）は、拭き取り作業終了時の状態を模式的に示す図である。
【００３５】
先ず、インクジェットヘッド３０１内部のインクをパージしてインクジェットヘッド３０１からインクを吐出させた後に、図４（ａ）に示すように、インクジェットヘッド３０１のインク吐出面（液滴吐出面）３０１ａの吐出方向側に拭き取り部材５０を用意する。このとき、拭き取り部材５０の拭き取り面５１がインク吐出面３０１ａと対向する状態となるように拭き取り部材５０を用意する。本実施の形態においては、インクジェットヘッド３０１のインク吐出面３０１ａは、略鉛直下方を向いており、拭き取り部材５０は、インクジェットヘッド３０１のインク吐出面３０１ａの鉛直下方に用意される。ここで、拭き取り部材５０は、例えば、セルロース等の繊維から成る不織布等の吸液性（液状体を吸収する性質）を有するシート状の部材である。なお、必ずしも拭き取り部材全体が吸液性の部材より形成されている必要はなく、少なくとも拭き取り面５１が吸液性の部材により形成されていればよい。
【００３６】
次に、拭き取り部材５０をインクジェットヘッド３０１のインク吐出面３０１ａに近づく方向（この場合は、鉛直上方）に移動させて、拭き取り部材５０の拭き取り面５１をインク吐出面３０１ａに接触させる。このとき、拭き取り面５１とインク吐出面３０１ａとの接触は、強く押し付けたりはせず、軽く触れる程度である。
そして、拭き取り部材５０の拭き取り面５１とインクジェットヘッド３０１のインク吐出面３０１ａとが接触した状態で拭き取り部材５０を静止させ、そのまま数秒間静止接触状態を保持する。ここで、数秒間とは、具体的には、例えば、０．１秒以上３０秒以下であるが、これに限られない。
【００３７】
静止接触状態を数秒間保持した後、拭き取り部材５０をインクジェットヘッド３０１のインク吐出面３０１ａから遠ざかる方向（この場合は、鉛直下方）に移動させて、拭き取り部材５０の拭き取り面５１をインク吐出面３０１ａから離間させる。
以上の手順により、拭き取り作業が完了する。そしてこの後、拭き取り部材５０をインクジェットヘッド３０１とインク吐出対象物（本実施の形態においては、有機ＥＬ表示パネルの基板）との間の空間から退避させた後、インクジェットヘッド３０１からインクを吐出させ、インク吐出対象物にインクを塗布する。
【００３８】
（５．拭き取り部材の特性と不吐出ノズル発生との関係）
拭き取り作業に用いる拭き取り部材５０の密度、単位面積当たりの吸水量、および吸水性と、不吐出ノズルの発生との関係を調べる実験を行った。
拭き取り部材５０の吸水量の測定および算出は、次のようにして行った。
先ず、使用前の乾燥状態の拭き取り部材の重さを測定した。次に、拭き取り部材５０を全体が水没するように水を満たした容器の中に入れ、拭き取り部材５０が水を十分吸い込むことができる時間だけ拭き取り部材５０を水中に保持した。その後、拭き取り部材５０を水から取り出し、空中で静止させた状態で保持して水滴が自然と垂れ落ちなくなるまで待った後、水を吸収した湿潤状態の拭き取り部材５０の重さを測定した。湿潤状態の拭き取り部材５０の重さから乾燥状態の拭き取り部材５０の重さを差し引いて、吸水量を算出した。そして、得られた吸水量を拭き取り部材５０の拭き取り面５１の面積で除して、単位面積当たりの吸水量を算出した。
【００３９】
拭き取り部材５０の吸水性の測定および算出は、次のようにして行った。
先ず、使用前の拭き取り部材５０の重さを測定した。次に、インクジェット装置１０００に水を用い、インクジェットヘッド３０１内部の水を加圧してインク吐出面から水を吐出させた後、上記（４．インクジェットヘッドの拭き取り作業）の項において説明した方法と同様に拭き取り作業を行い、拭き取り作業後の拭き取り部材５０の重さを測定した。
【００４０】
なお、拭き取り部材の吸水性は、拭き取り作業を行う前の拭き取り部材５０の重さをＷ１、拭き取り作業を行った後の拭き取り部材５０の重さをＷ２とすると、次の式（１）で表される。
（Ｗ２−Ｗ１）／Ｗ１                                       （１）
不吐出ノズル発生の観察には、インクジェット装置１０００に、水ではなく、有機ＥＬ表示パネルの製造に用いられるインクを用いて次のようにして行った。
【００４１】
先ず、インクジェットヘッド３０１内部のインクを加圧してインクをインク吐出面３０１ａから吐出させた。次に、上記（４．インクジェットヘッドの拭き取り作業）の項において説明した方法と同様に拭き取り作業を行った。その後、インクジェットヘッド３０１のインク吐出面３０１ａから通常のインク塗布と同様の方法によりインク液滴を吐出させ（パージによるインクの吐出ではない）、不吐出ノズル数を計測した。
【００４２】
実験は、１６種類の拭き取り部材５０についてそれぞれ行った。
また、それぞれの拭き取り部材についての実験は、毎回同程度の力で拭き取り部材５０の拭き取り面５１をインクジェットヘッド３０１のインク吐出面３０１ａに接触させ、毎回略同じ時間だけ静止状態を維持して行った。
なお、有機ＥＬ表示パネルの製造に用いられるインクとして本実験に用いたインクは、有機機能層を構成する溶質を１７０〜３００℃の沸点の溶媒中に溶解させて成るインクである。また、インク中の有機機能層を構成する溶質の濃度は、０．１〜３．０ｗｔ％であり、粘度は１〜２０[ｃＰ]である。
【００４３】
なお、本実験において、拭き取り部材５０の特性として、有機ＥＬ表示パネルの製造に用いられるインクの吸収量（吸液量）および吸収性（吸液性）ではなく、吸水量および吸水性をパラメータとして用いたのは、次のような理由からである。
拭き取り部材の重さは、天秤等の重量計の上に載せて測定する。有機ＥＬ表示パネルの製造に用いられるインクを用いて吸液量を測定する場合、重さを測定した後に拭き取り部材を取り除くと、重量計の上にインクが付着する。有機ＥＬ表示パネルの製造に用いられるインクの溶媒は沸点が高く、別の部材に付着した場合、自然と揮発することはない。そこで、次の拭き取り部材の重さを正確に測定するためには、付着したインクを溶剤で拭き取らなければならない。しかし、完全に拭き取ることは難しく、拭き残された溶媒によって重量計の測定精度が低下してしまう。その点、水は拭き残しがあっても、放置しておけば自然と蒸発してしまうため、精度低下の問題が無い。
【００４４】
また、拭き取り部材の吸水量や吸水性は、有機ＥＬ表示パネルの製造に用いられるインクの吸収量（吸液量）および吸収性（吸液性）と正の相関があると考えられる。即ち、吸水性の高い（水を吸収しやすい）拭き取り部材はインクも吸収しやすく、吸水性の低い（水を吸収しにくい）拭き取り部材はインクも吸収しにくいと考えられる。
そこで、本実施の形態においては、拭き取り部材の特性の一つとして拭き取り部材の吸水量を用いた。
【００４５】
拭き取り部材の特性と不吐出ノズルの発生との関係について、以下に考察を行う。
〈５−１．拭き取り部材の密度〉
図５（ａ）は、拭き取り部材５０の密度と不吐出ノズル数との関係を示すグラフである。拭き取り部材５０の密度は、乾燥時（使用前）の拭き取り部材５０の重さ（ｇ）を体積（ｃｍ3）で除して求められる値である。同図に示すように、密度０．２０[ｇ／ｃｍ3]程度の拭き取り部材５０を用いたときと、密度０．６３[ｇ／ｃｍ3]程度の拭き取り部材５０を用いたときに不吐出ノズルが発生した。しかし、密度０．２０[ｇ／ｃｍ3]程度の拭き取り部材５０を用いても不吐出ノズルが発生しなかったものもあった。また、密度０．５８[ｇ／ｃｍ3]程度および０．７０[ｇ／ｃｍ3]程度の拭き取り部材５０を用いた場合にも不吐出ノズルは発生しなかった。このように、拭き取り部材５０の密度において、不吐出ノズルが発生する密度範囲と発生しない密度範囲は一部重なっている。特に、密度０．２０[ｇ／ｃｍ3]近傍においては、不吐出ノズルが発生したものと発生しなかったものの数が同程度であり、拭き取り部材５０の密度と不吐出ノズルの発生との相関関係はあまり高くないと判断される。
【００４６】
〈５−２．拭き取り部材の単位面積当たりの吸水量〉
図５（ｂ）は、拭き取り部材５０の単位面積当たりの吸水量と不吐出ノズル数との関係を示すグラフである。
図５（ｂ）のグラフに示すように、不吐出ノズルが発生したものも発生しなかったものも、ほぼまんべんなく分散して分布しており、単位面積当たりの吸水量と不吐出ノズルの発生との間には、相関は見られなかった。
【００４７】
〈５−３．拭き取り部材の吸水性〉
図６（ａ）は、拭き取り部材５０の吸水性と不吐出ノズル数との関係を示すグラフであり、図６（ｂ）は、本実験に使用した１６種類の拭き取り部材５０のそれぞれの吸水性の値を示す表である。
実験に用いた１６種類の拭き取り部材５０は、吸水性の値が低い方から順番に番号をふり、図６（ｂ）では、マテリアル１〜マテリアル１６として表示している。図６（ａ）のグラフにおいて表示されている番号は、マテリアル１〜１６の番号にそれぞれ対応している。マテリアル２，４，７，８，９，１０，１６の７種類の拭き取り部材５０については、それぞれ２回ずつ実験を行い、その他の拭き取り部材５０については、実験はそれぞれ１回ずつ行った。
【００４８】
図６（ａ）に示すように、吸水性の値が０．９３（マテリアル２）から１２．４０（マテリアル１１）までの範囲の拭き取り部材５０を使用した場合には、不吐出ノズルが発生しなかった。一方、吸水性の値が０．７０の拭き取り部材５０（マテリアル１）を使用した場合には不吐出ノズルが発生し、吸水性の値が１２．７５の拭き取り部材５０（マテリアル１２）および１２．７５よりも大きな吸水性を有する拭き取り部材５０（マテリアル１３〜１６）を使用した場合には、全て不吐出ノズルが発生した。このように、拭き取り部材５０の吸水性と不吐出ノズルの発生との間には高い相関関係がみられた。
【００４９】
以上の実験結果から、吸水性の値が０．９３以上１２．４０以下である拭き取り部材５０を用いて、本実施の形態の方法により拭き取り作業を行うと、不吐出ノズルの発生を防止することができることがわかった。一方、吸水性の値が０．９３未満の拭き取り部材５０を用いた場合および、吸水性の値が１２．４０よりも大きな拭き取り部材５０を用いた場合には、不吐出ノズルが発生する可能性が高いことがわかった。
【００５０】
なお、上記不吐出ノズルの発生を防止することができる拭き取り部材５０の吸水性の値の範囲は、水を用いて拭き取り作業を行った場合に算出される値の範囲である。従って、もちろんではあるが、有機ＥＬ表示パネルの製造に用いられるインクを用いて拭き取り作業を行った場合に式（１）により同様に算出して拭き取り部材５０の吸液性の値を算出した算出される値とは、必ずしも同じではない。粘度や質量によって、上記値の範囲も異なると考えられる。
【００５１】
（６．拭き取り部材の吸水性による不吐出ノズル発生の推定メカニズム）
図７および図８は、本実施の形態の方法により拭き取り作業を行った後のノズル３０３０内部の推定状態を模式的に示す断面図である。図７（ａ）は、吸水性の値が０．７０以下の拭き取り部材（以下、「低吸水性拭き取り部材」という。）５０を用いて拭き取り作業を行った後のノズル３０３０の推定状態を模式的に示す断面図である。図７（ｂ）は、吸水性の値が０．９３以上１２．４０以下の拭き取り部材（以下、「中吸水性拭き取り部材」という。）５０を用いて拭き取り作業を行った後のノズル３０３０の推定状態を模式的に示す断面図である。図８（ａ）および図８（ｂ）は、吸水性の値が１２．７５以上の拭き取り部材（以下、「高吸水性拭き取り部材」という。）５０を用いて拭き取り作業を行った後のノズル３０３０の推定状態を模式的に示す断面図である。
【００５２】
図７（ａ）に示すように、拭き取り部材５０として低吸水性拭き取り部材を用いた場合には、インクジェットヘッド３０１のインク吐出面３０１ａに付着したインクが拭き取り部材５０によって十分に除去されずに、一部が残存インク４１として吐出口３０３１の周囲に付着しているのではないかと推定される。この残存インク４１により吐出口３０３１からのインクの吐出が阻害されたりインクの吐出方向が曲げられたりして、不吐出ノズルが発生すると考えられる。
【００５３】
拭き取り部材５０として高吸水性拭き取り部材を用いた場合に起きる現象として、次の２つの現象が推定される。
１つは、図８（ａ）に示すように、インクジェットヘッド３０１のインク吐出面３０１ａに付着したインクは十分に除去されるが、拭き取り部材の吸水性が非常に高いため、ノズル３０３０のキャビティ３０１ｅ内に収容されているインクの一部が拭き取り部材５０によって吐出口３０３１から外に吸い出されてしまい、その分の空気が吐出口３０３１を介してキャビティ３０１ｅ内に入り込み、ノズル内空気４２としてキャビティ内に存在しているのではないかと推定される。ノズル内空気４２が存在すると、ピエゾ素子３０１０によりキャビティ３０１ｅ内の圧力を高める方向に振動板３０１ｈが変形された際に、ノズル内空気４２が圧縮されて圧力を吸収してしまうため、キャビティ３０１ｅ内の圧力が高まらず、吐出口３０３１からインクが正常に吐出されなくなると考えられる。
【００５４】
もう１つは、図８（ｂ）に示すように、拭き取り部材の吸水性が非常に高く、拭き取り部材とインクとの液切れが悪いため、ノズル３０３０のキャビティ３０１ｅ内に収容されているインクが引っ張られて吐出口３０３１から外に一部引き出された状態で液切れが起こり、その一部のインクが吐出口３０３１の周囲のインク吐出面３０１ａに残存インク４３としてノズル表面に残存する現象が推定される。
【００５５】
なお、図８（ｂ）においては、引き出されたインクは少量であるためキャビティ３０１ｅ内に空気が入り込んではいないが、これに限られない。残存インク４３が吐出口３０３１の周囲のインク吐出面３０１ａに付着し、且つキャビティ３０１ｅ内に空気が入り込んでノズル内空気４２としてキャビティ内に存在している場合も考えられる。即ち、上記２つの現象の両方が同時に起きている場合も推定される。
【００５６】
さらには、図８（ａ）に示す現象が起きているノズルと、図８（ｂ）に示す現象が起きているノズルとが混在している場合も想定される。
このように、拭き取り部材５０として高吸水性拭き取り部材を用いた場合には、上記２つの現象のうち、少なくともどちらか一方の現象が起こっていると推定される。
拭き取り部材５０として中吸水性拭き取り部材を用いた場合には、インクジェットヘッド３０１のインク吐出面３０１ａに付着したインクは十分に除去され、且つ、拭き取り部材５０の吸水性が高すぎないため、キャビティ３０１ｅ内に収容されているノズル内インク４０の一部が吐出口３０３１から外に吸い出されてしまうこともない。
【００５７】
従って、図７（ｂ）のように、インク吐出面３０１ａに残存インク４１が付着してることもなく、キャビティ３０１ｅ内にノズル内空気４２が存在することもなく、正常なインク吐出が行える状態となっていると考えられる。
（７．表示装置の全体構成）
本発明の実施の形態に係る液滴吐出方法を含む製造方法により製造された有機ＥＬ素子を含む表示装置１の構成について図９を用い説明する。
【００５８】
図９に示すように、表示装置１は、表示パネル１００と、これに接続された駆動制御部２０とを有し構成されている。表示パネル１００は、有機材料の電界発光現象を利用したパネルであり、複数の有機ＥＬ素子が、例えば、マトリクス状に配列され構成されている。駆動制御部２０は、４つの駆動回路２１〜２４と制御回路２５とから構成されている。
なお、実際の表示装置１では、表示パネル１００に対する駆動制御部２０の配置については、これに限られない。
【００５９】
（８．表示パネルの構成）
表示パネル１００の構成について、図１０を用い説明する。
図１０は、表示パネル１００の構成の一部の断面図である。表示パネル１００は、同図上側を表示面とする、いわゆるトップエミッション型である。
図１０に示すように、表示パネル１００は、基板１０１をベースとして形成されている。そして、基板１０１上には、ＴＦＴ（薄膜トランジスタ）層１０２および給電電極（配線部）１０３が形成されており、その上を覆うように層間絶縁膜１０４が積層形成されている。
【００６０】
絶縁層である層間絶縁膜１０４上には、画素電極１０６が形成されており、その上を覆うように正孔注入層１０９が積層形成されている。
正孔注入層１０９の上には、有機発光層１１１の形成領域となる複数の開口部１１７（図４参照）が形成された隔壁層１０７が設けられている。開口部１１７の内部には、正孔輸送層１１０および有機発光層１１１が順次積層形成されている。
【００６１】
そして、有機発光層１１１および隔壁層１０７の上に、電子輸送層１１２、電子注入層１１３、対向電極１１４、封止層１１８が順次積層されている。
＜基板、ＴＦＴ層、給電電極＞
基板１０１は表示パネル１００における背面基板であり、その表面には、表示パネル１００をアクティブマトリクス方式で駆動するためのＴＦＴ（薄膜トランジスタ）を含むＴＦＴ層１０２が形成されている。ＴＦＴ層１０２には、各ＴＦＴに対して外部から電力を供給するための配線部である給電電極１０３が含まれるが、本実施の形態においては、説明をわかりやすくするために、別の符号を付して説明する。また、本実施の形態においては、給電電極１０３は、モリブデン（Ｍｏ）を用いて形成されている。
【００６２】
＜層間絶縁膜＞
層間絶縁膜１０４は、ＴＦＴ層１０２および給電電極１０３が配設されていることにより生じる表面段差を平坦に調整するために設けられており、絶縁性に優れる有機材料で構成されている。
＜コンタクトホール＞
コンタクトホール（コンタクト部）１０５は、給電電極１０３と画素電極１０６とを電気的に接続するために設けられ、層間絶縁膜１０４の表面から裏面にわたって形成されている。コンタクトホール１０５は、列方向に配列されている開口部１１７（図４参照）の間に位置するように形成されており、隔壁層１０７により覆われた構成となっている。コンタクトホール１０５が隔壁層１０７により覆われていない場合には、コンタクトホール１０５の存在により、有機発光層１１１が平坦な層とはならず、発光ムラ等の原因となる。これを避けるため、上記のような構成としている。
【００６３】
＜画素電極＞
画素電極１０６は陽極であり、開口部１１７に形成される一の有機発光層１１１毎に形成されている。表示パネル１００はトップエミッション型であるため、画素電極１０６の材料としては光反射性材料が選択されている。光反射性材料としては、例えば、アルミニウム（Ａｌ）を主成分とする金属から構成された金属膜とニッケル（Ｎｉ）膜との積層膜である。
【００６４】
＜正孔注入層＞
正孔注入層１０９は、画素電極１０６から有機発光層１１１への正孔の注入を促進させる目的で設けられている。
＜隔壁層＞
隔壁層１０７は、有機発光層１１１を形成する際、赤色（Ｒ）、緑色（Ｇ）、青色（Ｂ）の各色に対応する有機発光層材料と溶媒を含むインク（液状体）が互いに混入することを防止する機能を果たす。
【００６５】
コンタクトホール１０５の上方を覆うように設けられている隔壁層１０７は、全体的にはＸＺ平面またはＹＺ平面に沿った断面が台形の断面形状を有しているが、コンタクトホール１０５に対応する位置では、隔壁層材料が収縮して落ち込んだ形状となっている。
＜正孔輸送層＞
正孔輸送層１１０は、画素電極１０６から注入された正孔を有機発光層１１１へ輸送する機能を有する。
【００６６】
＜有機発光層＞
有機発光層１１１は、キャリア（ホールと電子）の再結合による発光を行う部位であり、Ｒ，Ｇ，Ｂのいずれかの色に対応する有機材料を含むように構成され、開口部１１７内に形成されている。また、有機ＥＬ素子を用いた表示パネルでは、Ｒ，Ｇ，Ｂの各色に対応する有機ＥＬ素子をそれぞれサブピクセルとし、Ｒ，Ｇ，Ｂの３つのサブピクセルの組み合わせが１ピクセル（１画素）に相当する。
【００６７】
なお、各開口部１１７に形成される有機発光層１１１を、すべて同色の有機発光層とすることもできる。
＜電子輸送層＞
電子輸送層１１２は、対向電極１１４から注入された電子を有機発光層１１１へ輸送する機能を有する。
【００６８】
＜電子注入層＞
電子注入層１１３は、対向電極１１４から有機発光層１１１への電子の注入を促進させる機能を有する。
＜対向電極＞
対向電極１１４は陰極である。表示パネル１００はトップエミッション型であるため、対向電極１１４の材料としては光透過性材料が選択されている。
【００６９】
＜封止層＞
対向電極１１４の上には、有機発光層１１１が水分や空気等に触れて劣化することを抑制する目的で封止層が設けられている。表示パネル１００はトップエミッション型であるため、封止層の材料としては、例えばＳｉＮ（窒化シリコン）、ＳｉＯＮ（酸窒化シリコン）等の光透過性材料を選択する。
【００７０】
＜その他＞
なお、図１０には図示しないが、封止層１１８の上にカラーフィルターや上部基板を載置し、接合してもよい。上部基板の載置・接合により、水分および空気などから、有機層（正孔輸送層１１０、有機発光層１１１、電子輸送層１１２）の保護が図られる。
＜各層の材料＞
次に、上記で説明した各層の材料を例示する。言うまでもなく、以下に記載した材料以外の材料を用いて各層を形成することも可能である。
【００７１】
基板１０１：無アルカリガラス、ソーダガラス、無蛍光ガラス、燐酸系ガラス、硼酸系ガラス、石英、アクリル系樹脂、スチレン系樹脂、ポリカーボネート系樹脂、エポキシ系樹脂、ポリエチレン、ポリエステル、シリコーン系樹脂、アルミナ等の絶縁性材料
層間絶縁膜１０４：ポリイミド系樹脂、アクリル系樹脂
画素電極１０６：Ａｇ（銀）、Ａｌ（アルミニウム）、銀とパラジウムと銅との合金、銀とルビジウムと金との合金、アルミニウム合金、Ｍｏ（モリブデン）、ＭｏＣｒ（モリブデンとクロムの合金）、ＭｏＷ（モリブデンとタングステンの合金）、ＮｉＣｒ（ニッケルとクロムの合金）
なお、画素電極１０６の表面には公知の透明導電膜を設けてもよい。透明導電膜の材料としては、例えば酸化インジウムスズ（ＩＴＯ）や酸化インジウム亜鉛（ＩＺＯ）を用いることができる。
【００７２】
隔壁層１０７：アクリル系樹脂、ポリイミド系樹脂、ノボラック型フェノール樹脂
有機発光層１１１：オキシノイド化合物、ペリレン化合物、クマリン化合物、アザクマリン化合物、オキサゾール化合物、オキサジアゾール化合物、ペリノン化合物、ピロロピロール化合物、ナフタレン化合物、アントラセン化合物、フルオレン化合物、フルオランテン化合物、テトラセン化合物、ピレン化合物、コロネン化合物、キノロン化合物及びアザキノロン化合物、ピラゾリン誘導体及びピラゾロン誘導体、ローダミン化合物、クリセン化合物、フェナントレン化合物、シクロペンタジエン化合物、スチルベン化合物、ジフェニルキノン化合物、スチリル化合物、ブタジエン化合物、ジシアノメチレンピラン化合物、ジシアノメチレンチオピラン化合物、フルオレセイン化合物、ピリリウム化合物、チアピリリウム化合物、セレナピリリウム化合物、テルロピリリウム化合物、芳香族アルダジエン化合物、オリゴフェニレン化合物、チオキサンテン化合物、シアニン化合物、アクリジン化合物、８−ヒドロキシキノリン化合物の金属錯体、２−ビピリジン化合物の金属錯体、シッフ塩とＩＩＩ族金属との錯体、オキシン金属錯体、希土類錯体等の蛍光物質（いずれも特開平５−１６３４８８号公報に記載）
正孔注入層１０９：トリアゾール誘導体、オキサジアゾール誘導体、イミダゾール誘導体、ポリアリールアルカン誘導体、ピラゾリン誘導体及びピラゾロン誘導体、フェニレンジアミン誘導体、アリールアミン誘導体、アミノ置換カルコン誘導体、オキサゾール誘導体、スチリルアントラセン誘導体、フルオレノン誘導体、ヒドラゾン誘導体、スチルベン誘導体、ポリフィリン化合物、芳香族第三級アミン化合物、スチリルアミン化合物、ブタジエン化合物、ポリスチレン誘導体、ヒドラゾン誘導体、トリフェニルメタン誘導体、テトラフェニルベンジン誘導体（いずれも特開平５−１６３４８８号公報に記載）、ＭｏＯｘ（酸化モリブデン）、ＷＯｘ（酸化タングステン）又はＭｏｘＷｙＯｚ（モリブデン−タングステン酸化物）等の金属酸化物、金属窒化物又は金属酸窒化物
正孔輸送層１１０：トリアゾール誘導体、オキサジアゾール誘導体、イミダゾール誘導体、ポリアリールアルカン誘導体、ピラゾリン誘導体及びピラゾロン誘導体、フェニレンジアミン誘導体、アリールアミン誘導体、アミノ置換カルコン誘導体、オキサゾール誘導体、スチリルアントラセン誘導体、フルオレノン誘導体、ヒドラゾン誘導体、スチルベン誘導体、ポリフィリン化合物、芳香族第三級アミン化合物、スチリルアミン化合物、ブタジエン化合物、ポリスチレン誘導体、ヒドラゾン誘導体、トリフェニルメタン誘導体、テトラフェニルベンジン誘導体（いずれも特開平５−１６３４８８号公報に記載）
電子輸送層１１２： ニトロ置換フルオレノン誘導体、チオピランジオキサイド誘導体、ジフェキノン誘導体、ペリレンテトラカルボキシル誘導体、アントラキノジメタン誘導体、フレオレニリデンメタン誘導体、アントロン誘導体、オキサジアゾール誘導体、ペリノン誘導体、キノリン錯体誘導体（いずれも特開平５−１６３４８８号公報に記載）、リンオキサイド誘導体、トリアゾール誘導体、トジアジン誘導体、シロール誘導体、ジメシチルボロン誘導体、トリアリールボロン誘導体
電子注入層１１３：リチウム、バリウム、カルシウム、カリウム、セシウム、ナトリウム、ルビジウム等の低仕事関数金属、及びフッ化リチウム等の低仕事関数金属塩、酸化バリウム等の低仕事関数金属酸化物
対向電極１１４：ＩＴＯ（酸化インジウムスズ）、ＩＺＯ（酸化インジウム亜鉛）
以上、表示パネル１００の構成等について説明した。次に、表示パネル１００の製造方法を例示する。
【００７３】
（９．表示パネルの製造方法）
ここで、実施の形態に係る表示パネル１００の製造方法について図１１および図１２を用いて説明する。なお、図１１，図１２は、表示パネル１００の製造過程を模式的に示す断面図である。
まず、ＴＦＴ層１０２及び給電電極１０３が形成された基板１０１を準備する（図１１（ａ））。
【００７４】
その後、フォトレジスト法に基づき、ＴＦＴ層１０２及び給電電極１０３の上に絶縁性に優れる有機材料を用いて、厚み約４［μｍ］の層間絶縁膜１０４を形成する。このとき、コンタクトホール１０５を列方向に隣接する各開口部１１７の間の位置に合わせて形成する（図１１（ｂ））。このとき、所望のパターンマスクを用いたフォトレジスト法を行うことで、層間絶縁膜１０４とコンタクトホール１０５を同時に形成することができる。なお、当然ながらコンタクトホール１０５の形成方法はこれに限定されない。例えば、一様に層間絶縁膜１０４を形成した後、所定の位置の層間絶縁膜１０４を除去して、コンタクトホール１０５を形成することもできる。
【００７５】
続いて、真空蒸着法またはスパッタ法に基づき、厚み１５０［ｎｍ］程度の金属材料からなる画素電極１０６を、給電電極１０３と電気接続させながら、サブピクセル毎に形成する。つづいて、反応性スパッタ法に基づき、正孔注入層１０９を形成する（図１１（ｃ））。
次に、隔壁層１０７をフォトリソグラフィー法に基づいて形成する。まず隔壁層材料として、感光性レジストを含むペースト状の隔壁層材料を用意する。この隔壁層材料を正孔注入層１０９上に一様に塗布する。この上に、開口部１１７のパターンに形成されたマスクを重ねる。続いてマスクの上から感光させ、隔壁層パターンを形成する。その後は、余分な隔壁層材料を水系もしくは非水系エッチング液（現像液）で洗い出す。これにより、隔壁層材料のパターニングが完了する。以上で有機発光層形成領域となる開口部１１７が規定されるとともに、表面が少なくとも撥水性の隔壁層１０７が完成する（図１１（ｄ））。
【００７６】
なお、隔壁層１０７の形成工程においては、さらに、開口部１１７に塗布するインクに対する隔壁層１０７の接触角を調節する、もしくは、表面に撥水性を付与するために隔壁層１０７の表面を所定のアルカリ性溶液や水、有機溶媒等によって表面処理するか、プラズマ処理を施すこととしてもよい。
次に、正孔輸送層１１０を構成する有機材料と溶媒を所定比率で混合し、正孔輸送層用インクを調製する。このインクを各インクジェットヘッド３０１に供給し、塗布工程に基づき、各開口部１１７に対応するノズル３０３０から、正孔輸送層用インクよりなる液滴１８を吐出する（図１１（ｅ））。その後、インクに含まれる溶媒を蒸発乾燥させ、必要に応じて加熱焼成すると正孔輸送層１１０が形成される（図１２（ａ））。
【００７７】
次に、有機発光層１１１を構成する有機材料と溶媒を所定比率で混合し、有機発光層用インクを調製する。このインクをインクジェットヘッド３０１に供給し、塗布工程に基づき、開口部１１７に対応するノズル３０３０から、有機発光層用インクよりなる液滴１９を吐出する（図１２（ｂ））。その後、インクに含まれる溶媒を蒸発乾燥させ、必要に応じて加熱焼成すると有機発光層１１１が形成される（図１２（ｃ））。
【００７８】
次に、有機発光層１１１の表面に、電子輸送層１１２を構成する材料を真空蒸着法に基づいて成膜する。これにより、電子輸送層１１２が形成される。つづいて、電子注入層１１３を構成する材料を蒸着法、スピンコート法、キャスト法などの方法により成膜し、電子注入層１１３が形成される。そして、ＩＴＯ、ＩＺＯ等の材料を用い、真空蒸着法、スパッタ法等で成膜する。これにより対向電極１１４が形成される（図１２（ｄ））。
【００７９】
なお、図示しないが、対向電極１１４の表面には、ＳｉＮ、ＳｉＯＮ等の光透過性材料をスパッタ法、ＣＶＤ法等で成膜することで、封止層を形成する。
以上の工程を経ることにより表示パネル１００が完成する。
（１０．まとめ）
本実施の形態の液滴吐出方法によると、パージ後のインクジェットヘッドのインク吐出面を、吸水性の値が０．９３〜１２．４０の拭き取り部材を用いて拭き取り作業を行うことにより、不吐出ノズルの発生を効果的に防止することができる。
【００８０】
その場合、拭き取り作業に際しては、拭き取り部材５０の拭き取り面５１をインクジェットヘッド３０１のインク吐出面３０１ａに対して垂直に近づけて拭き取り面５１をインク吐出面３０１ａに接触させるとよい。インクジェットヘッド３０１のインク吐出面３０１ａと拭き取り部材５０の拭き取り面５１との接触は、軽く触れる程度である。
なお、ここで「垂直」とは、インク吐出面３０１ａに対して厳密に垂直である必要は必ずしもなく、略垂直であればよい。
【００８１】
また、インク吐出面３０１ａに拭き取り面５１を接触させると、そのまま拭き取り部材５０をインクジェットヘッド３０１に対して静止させる。即ち、このとき、拭き取り部材５０の拭き取り面５１をインクジェットヘッド３０１のインク吐出面３０１ａに対して摺擦させない。
そして静止状態を所定時間、例えば、数秒（０．１〜３０秒）程度保持した後、拭き取り部材５０をインクジェットヘッド３０１のインク吐出面３０１ａに対して垂直に遠ざけて拭き取り面５１をインク吐出面３０１ａから離間させるとよい。
【００８２】
そしてその後、拭き取り部材５０を、インクジェットヘッド３０１とインク塗布対象となる基板との間の空間から退避させた後、インクジェットヘッド３０１からインクを吐出させて、基板にインクを塗布する。
これにより、不吐出ノズルの発生を防止して、有機機能層の塗布が正常に行われた有機ＥＬ素子を提供することができる。また、そのような有機ＥＬ素子を備え、抜けや色の濃さが著しく異なる部分の無い、良好な画質を備えた有機ＥＬ表示パネルおよび、そのような有機ＥＬ表示パネルを備えた有機ＥＬ表示装置を提供することができる。
【００８３】
［変形例］
以上、実施の形態１および２について説明したが、本発明はこれらの実施の形態に限られない。例えば、以下のような変形例等が考えられる。
（１）図１０には図示していないが、対向電極１１４の上方には、各有機発光層１１１の位置に合わせて、各々の色に対応するカラーフィルターが配設されている。カラーフィルターは、Ｒ，Ｇ，Ｂに対応する波長の可視光を透過させるために設けられる透明層である。
【００８４】
カラーフィルターは、具体的には、複数の開口部をピクセル単位に行列状に形成した隔壁層が設けられたカラーフィルター形成用の基板に対し、カラーフィルター材料および溶媒を含有したインクを塗布する工程により形成される。本発明は、このカラーフィルターを形成する際の塗布工程にも適用することが可能である。
なお、カラーフィルター材料としては、例えば、ＪＳＲ株式会社製のカラーレジスト等を用いることができる。
【００８５】
（２）図１０において、基板１０１上にＴＦＴ層１０２〜対向電極１１４の各層が積層形成されてなる構成を示した。本発明においては、各層のうちの何れかの層を欠いている、もしくは、例えば透明導電層などの他の層をさらに含む構成とすることもできる。
（３）上記実施の形態において、リニアモーター部２０５，２０６、サーボモーター部２２１はそれぞれガントリー部２１０、移動体２２０の移動手段の例示にすぎず、これらの利用は必須ではない。例えば、タイミングベルト機構やボールネジ機構を利用することにより、ガントリー部または移動体の少なくともいずれかを移動させることしてもよい。
【００８６】
（４）上記の実施形態においては、塗布対象基板に対してヘッド部側を走査させる方法を示したが、本発明はこれに限定されない。ノズルが複数配列されたヘッド部に対して塗布対象基板側を移動させてもよい。
（５）本発明において、ヘッド部の長さは特に限定されないが、可能な限り長いヘッド部を用いた方が、塗布工程に要する時間を短縮することが可能である。
【産業上の利用可能性】
【００８７】
本発明の液滴吐出方法等は、例えば、家庭用もしくは公共施設、あるいは業務用の各種表示装置、テレビジョン装置、携帯型電子機器用ディスプレイ等として用いられる有機ＥＬ表示パネルの製造方等に好適に利用可能である。
【符号の説明】
【００８８】
１        表示装置
５０      拭き取り部材
５１      拭き取り面
１００    表示パネル
１１０    正孔輸送層
１１１    有機発光層
３００    吐出制御部
３０１    インクジェットヘッド
３０１ａ  インク吐出面
１０００  インクジェット装置
３０３０  ノズル
３０３１  吐出口
【図１】
0005919535.tif 000002
【図２】
0005919535.tif 000003
【図３】
0005919535.tif 000004
【図４】
0005919535.tif 000005
【図５】
0005919535.tif 000006
【図６】
0005919535.tif 000007
【図７】
0005919535.tif 000008
【図８】
0005919535.tif 000009
【図９】
0005919535.tif 000010
【図１０】
0005919535.tif 000011
【図１１】
0005919535.tif 000012
【図１２】
0005919535.tif 000013